(57)【特許請求の範囲】
【請求項１】
光学フィルタ（１）と保持ベルト（２）からなり、この保持ベルト（２）を長さ調節自在としてディスプレイ装置（Ｄ）の後方に回し、ディスプレイ装置（Ｄ）を取り囲むようにして、このディスプレイ装置（Ｄ）に装着するようにしたディスプレイ用フィルタであって、前記光学フィルタ（１）の周囲に枠体（３）を取り付け、この枠体（３）の両側部にスライド溝（４、４）を形成し、これらスライド溝（４、４）にスライド部材（５、５）のそれぞれの一側部をスライド自在として取り付け、さらにスライド部材（５、５）のそれぞれのもう一側部を、前記保持ベルト（２）の一端部およびもう一端部に着脱自在としたことを特徴とするディスプレイ用フィルタ。
【請求項２】
前記スライド部材（５）を縦長尺体とし、その一側部に前記スライド溝（４）との凸嵌合部（６）を形成し、もう一側部に前記保持ベルト（２）の端部との凹嵌合部（７）を形成したことを特徴とする請求項１記載のディスプレイ用フィルタ。
【請求項３】
前記保持ベルト（２）を、適宜長さに切断可能なものにすると共に両端部に凸嵌合部（９、９）を形成したものとし、これら凸嵌合部（９、９）を前記スライド部材（５）の凹嵌合部（７）にそれぞれ嵌合自在としたことを特徴とする請求項２記載のディスプレイ用フィルタ。
【発明の詳細な説明】
【０００１】
【発明の属する技術分野】
この発明は、パソコンやテレビ等の各種ディスプレイ装置のディスプレイ画面から放射される人体に有害な電磁波等を吸収、遮蔽するディスプレイ用フィルタに関するものである。
【０００２】
【従来の技術】
従来、この種のディスプレイ用フィルタは、光学フィルタの周囲に枠体を取り付けたものとし、その枠体をディスプレイ装置の上部または周囲に装着することにより、ディスプレイ画面を覆って、そのディスプレイ画面から放射される人体に有害な電磁波等を吸収、遮蔽している。
【０００３】
このようなディスプレイ用フィルタにおいて、その枠体をディスプレイ装置の上部に装着するようにしたものは、例えば枠体の上部の左右二箇所に吊下げ部を設け、これら吊下げ部をディスプレイ装置の上部に固定して、ディスプレイ画面を光学フィルタで覆うようにしている。
【０００４】
さらに、前記ディスプレイ用フィルタにおいて、その枠体をディスプレイ装置の周囲に装着するようにしたものは、例えば枠体を浅箱状に形成して、この枠体をディスプレイ装置の周囲に嵌め込み、ディスプレイ画面を光学フィルタで覆うようにしている。
【０００５】
【発明が解決しようとする課題】
上記従来のディスプレイ用フィルタにおいて、枠体をディスプレイ装置の上部に装着するようにしたものでは、比較的嵩の低いものにすることができるが、枠体がディスプレイ装置の上部にのみしか固定されていないので、何某かの物が少しでも触れると動いて、ディスプレイ画面から光学フィルタがずれたり、微振動してディスプレイ画面がちらつく等の課題を有していた。
【０００６】
さらに、上記従来のディスプレイ用フィルタにおいて、枠体をディスプレイ装置の周囲に装着するようにしたものでは、比較的嵩の高いものとなり、枠体をディスプレイ装置の周囲に嵌め込んでいるので外れ易かったり、また枠体がディスプレイ装置の外形から食み出して体裁が悪くなったり、そのため液晶表示の薄型でコンパクトなデスクトップ型のディスプレイ装置に装着する場合には、そのディスプレイ装置を薄型でコンパクトにした意図が損なわれてしまうという課題を有していた。
【０００７】
そこで、この発明は、上記従来の課題を解決するためになされたものであり、嵩の低いものとすると共に、何某かの物が触れても動きにくく、ディスプレイ画面から光学フィルタがずれることなく、また微振動することがないので、ディスプレイ画面もちらつかず、さらにディスプレイ装置から外れにくく、ディスプレイ装置の外形から食み出すこともないので体裁が良く、液晶表示の薄型でコンパクトなデスクトップ型のディスプレイ装置に装着しても、そのディスプレイ装置を薄型でコンパクトな状態に保つことのできるディスプレイ用フィルタを提供することを目的としてなされたものである。
【０００８】
【課題を解決するための手段】
そのため、この発明のディスプレイ用フィルタは、光学フィルタ１と保持ベルト２からなり、この保持ベルト２を長さ調節自在としてディスプレイ装置Ｄの後方に回し、ディスプレイ装置Ｄを取り囲むようにして、このディスプレイ装置Ｄに装着するようにしている。そして、前記光学フィルタ１の周囲に枠体３を取り付け、この枠体３の両側部にスライド溝４、４を形成し、これらスライド溝４、４にスライド部材５、５のそれぞれの一側部をスライド自在として取り付け、さらにスライド部材５、５のそれぞれのもう一側部を、前記保持ベルト２の一端部およびもう一端部に着脱自在としたものとしている。
【００１０】
さらに、この発明のディスプレイ用フィルタは、前記スライド部材５を縦長尺体とし、その一側部に前記スライド溝４との凸嵌合部６を形成し、もう一側部に前記保持ベルト２の端部との凹嵌合部７を形成したものとしている。
【００１１】
また、この発明のディスプレイ用フィルタは、前記保持ベルト２を、適宜長さに切断可能なものにすると共に両端部に凸嵌合部９、９を形成したものとし、これら凸嵌合部９、９を前記スライド部材５の凹嵌合部７にそれぞれ嵌合自在としたものとしている。
【００１２】
【発明の実施の形態】
以下、この発明のディスプレイ用フィルタの実施の形態を、図面に基づいて詳細に説明する。
【００１３】
この発明のディスプレイ用フィルタは、図１に示したように、光学フィルタ１と保持ベルト２からなり、この保持ベルト２を長さ調節自在としてディスプレイ装置Ｄの後方に回し、ディスプレイ装置Ｄを取り囲むようにして、このディスプレイ装置Ｄに装着するようにしている。
【００１４】
光学フィルタ１は、ディスプレイ装置Ｄのディスプレイ画面から放射される人体に有害な電磁波等を吸収、遮蔽するようなフィルタ機能を備えたものとしている。また、光学フィルタ１は、横長の長方形状としており、その大きさは、取り付けるディスプレイ装置Ｄのディスプレイ画面に応じて、その寸法より一回り大きくした各種の大きさとすることができる。この光学フィルタ１の周囲には、枠体３を取り付けたものとしている。枠体３は、合成樹脂材等からなり、光学フィルタ１の周囲に嵌め込む等して取り付けられており、両側端部および必要に応じて上下端部にスライド溝４、４を形成したものとしている。そして、これらスライド溝４、４には、スライド部材５、５のそれぞれの一側部をスライド自在として取り付け、さらにスライド部材５、５のそれぞれのもう一側部を、前記保持ベルト２の一端部およびもう一端部に着脱自在としたものとしている。すなわち、前記スライド部材５は、縦長尺体とし、一側部に前記スライド溝４との凸嵌合部６を形成し、もう一側部に前記保持ベルト２の端部との凹嵌合部７を形成したものとしている。さらに、前記枠体３の裏面、すなわちディスプレイ装置Ｄのディスプレイ画面枠Ｄ1 に接触する部分には、クッション材８を貼り付けたものとしている。
【００１５】
保持ベルト２は、適宜長さに切断可能なものにすると共に両端部に凸嵌合部９、９を形成したものとし、これら凸嵌合部９、９を前記スライド部材５の凹嵌合部７にそれぞれ嵌合自在としたものとしている。すなわち、前記保持ベルト２は、伸縮性を有し適宜長さに切断可能としたベルト２ａの両端に、柔軟性を有し適宜長さに切断可能としたベルト２ｂ、２ｂを連結体１０により着脱自在に連結したものとし、長さ調節自在としている。前記ベルト２ａは、強化ゴム等よりなり、両端部の表裏両面または何れか一面の幅方向に多数のリブ１１を形成したものとしている。また、前記ベルト２ｂは、合成樹脂等よりなり、表裏両面または何れか一面の幅方向に多数のリブ１２を形成したものとし、一端部に前記凸嵌合部９を形成したものとしている。さらに、前記連結体１０は、両側部に凹嵌合部１３、１４を形成したものとし、これら凹嵌合部１３、１４に、前記ベルト２ａの端部のリブ１１とベルト２ｂの端部のリブ１２を嵌合自在としたものとしている。
【００１６】
以上のように構成したこの発明のディスプレイ用フィルタは、次のようにしてディスプレイ装置Ｄに装着する。
【００１７】
先ず、この発明のディスプレイ用フィルタの保持ベルト２の長さを、ディスプレイ装置Ｄの中間部または上部の周囲に合わせて調節する。この場合、図３に示したように、ベルト２ａの両端部の多数のリブ１１の間、ベルト２ｂの多数のリブ１２の間の何れか一方または両方をハサミで切断して寸法調節し、これらベルト２ａ、２ｂを連結体１０で連結する。なお、ディスプレイ装置Ｄの中間部または上部の周囲は、その装置の機種によって相違するので、それに応じた寸法に調節する必要がある。
【００１８】
次に、寸法調節した前記保持ベルト２の一方のベルト２ｂの一端の凸嵌合部９を、図４に示したように、光学フィルタ１の枠体３の一側端部のスライド溝４に取り付けたスライド部材５の凹嵌合部７に嵌合させる。そして、光学フィルタ１をディスプレイ装置Ｄのディスプレイ画面に位置合わせし、保持ベルト２をディスプレイ装置Ｄの後方に回し、このディスプレイ装置Ｄの周囲を取り囲むようにして、保持ベルト２の他方のベルト２ｂの一端の凸嵌合部９を、光学フィルタ１の枠体３の他側端部のスライド溝４に取り付けたスライド部材５の凹嵌合部７に嵌合させる。この場合、前記寸法調節した保持ベルト２が弛むようであれば、ベルト２ａ、２ｂを連結している連結体１０を外し、ベルト２ａ、２ｂのリブ１１、１２の間をハサミで切断して寸法調節し、もう一度ベルト２ａ、２ｂを連結体１０で連結すればよい。なお、保持ベルト２のベルト２ａは、伸縮性を有したものとしているので、少し伸ばし張力を持たせた状態にして、前記ディスプレイ装置Ｄの周囲を取り囲むようにするのが好ましい。
【００１９】
このようにすると、この発明のディスプレイ用フィルタは、図５〜８に示したように、ディスプレイ装置Ｄの中間部の周囲を保持ベルト２で取り囲むようにして、または図９〜１２に示したように、ディスプレイ装置Ｄの上部の周囲を保持ベルト２で取り囲むようにして、ディスプレイ装置Ｄに装着することができる。
【００２０】
また、この発明のディスプレイ用フィルタにおいて、枠体３の両側端部だけでなく、上下端部にもスライド溝４、４を形成したものは、図示していないが、この枠体３を縦にして、縦長のディスプレイ装置Ｄに前記横長のディスプレイ装置Ｄに装着したのと同様にして装着することができる。
【００２１】
【発明の効果】
この発明のディスプレイ用フィルタは、以上に述べたように構成されているので、嵩の低いものとすると共に、何某かの物が触れても動きにくく、ディスプレイ画面から光学フィルタがずれることなく、また微振動することがないので、ディスプレイ画面もちらつかず、さらにディスプレイ装置から外れにくく、ディスプレイ装置の外形から食み出すこともないので体裁が良く、液晶表示の薄型でコンパクトなデスクトップ型のディスプレイ装置に装着しても、そのディスプレイ装置を薄型でコンパクトな状態に保つことができるものとなった。
【図面の簡単な説明】
【図１】この発明のディスプレイ用フィルタの一実施形態を示す分解斜視図である。
【図２】この発明のディスプレイ用フィルタの枠体と、この枠体に取り付けるスライド部材の拡大図である。
【図３】この発明のディスプレイ用フィルタの保持ベルトを寸法調節するときの説明図である。
【図４】この発明のディスプレイ用フィルタの枠体に保持ベルトを連結している状態を示す説明図である。
【図５】この発明のディスプレイ用フィルタを、保持ベルトでディスプレイ装置の中間部の周囲を取り囲むようにして、ディスプレイ装置に装着した状態を示す正面図である。
【図６】図５に示す状態の背面図である。
【図７】図５に示す状態の側面図である。
【図８】図５に示す状態における保持ベルトの断面図である。
【図９】この発明のディスプレイ用フィルタを、保持ベルトでディスプレイ装置の上部の周囲を取り囲むようにして、ディスプレイ装置に装着した状態を示す正面図である。
【図１０】図９に示す状態の背面図である。
【図１１】図９に示す状態の側面図である。
【図１２】図９に示す状態における保持ベルトの断面図である。
【符号の説明】
１  光学フィルタ
２  保持ベルト
３  枠体
４  スライド溝
５  スライド部材
６  凸嵌合部
７  凹嵌合部
９  凸嵌合部
Ｄ  ディスプレイ装置
【図１】
0003663597.tif 000002
【図２】
0003663597.tif 000003
【図３】
0003663597.tif 000004
【図４】
0003663597.tif 000005
【図５】
0003663597.tif 000006
【図６】
0003663597.tif 000007
【図７】
0003663597.tif 000008
【図８】
0003663597.tif 000009
【図９】
0003663597.tif 000010
【図１０】
0003663597.tif 000011
【図１１】
0003663597.tif 000012
【図１２】
0003663597.tif 000013